(57)【要約】【課題】  ライトユニットを備えた表示装置の表示部において輝線が発生することを防止し、良好な表示を行う。【解決手段】  第３反射壁１２のうち導光板２におけるＣＦＬ３側端縁に対向する部分およびその近傍に、照射された照射光の反射率を低下させるための遮光シート２０を設け、遮光シート２０のうち平面形状が略Ｌ字状のＣＦＬ３における両端部およびその近傍、さらには折曲部に対向する部分の幅寸法Ｗ１  を、ＣＦＬ３の中央部に対向する部分の幅寸法Ｗ２  と比較して長く形成する。【選択図】      図２
2005158669.tif 000002
【特許請求の範囲】
【請求項１】
導光板の側面近傍に設けられた光源から照射される照射光を、反射体によって前記側面側に反射させ、前記照射光を前記導光板の一主面から出射するライトユニットにおいて、
前記反射体は、前記主面と反対側に形成される第１反射壁と、前記側面に対向するように形成された第２反射壁と、前記主面側に形成される第３反射壁とを有し、
前記第３反射壁は前記導光板の光源側端縁部分を被覆するように延在形成され、この延在形成部位に照射光の反射率を低下させるための反射率低下部材が設けられていることを特徴とするライトユニット。
【請求項２】
前記第２反射壁は、円柱形状の前記光源における軸線方向に平行な複数の折曲溝を有し、該折曲溝で折曲されて前記光源の円周面に沿うような略曲線形状とされている請求項１に記載のライトユニット。
【請求項３】
前記折曲溝は、前記第２反射壁の光源に対向する内面と反対側の外面から断続的に切り込まれ、前記第２反射壁の内面に到達しないように形成されている請求項２に記載のライトユニット。
【請求項４】
前記反射率低下部材のうち、光源の電極部およびその近傍に対向する部分の幅寸法が、前記光源の直線部分における中央部に対向する部分の幅寸法と比較して長く形成されている請求項２または３に記載のライトユニット。
【請求項５】
前記光源の平面形状を略Ｌ字状とし、前記反射率低下部材のうち、前記光源の屈曲部に対向する部分の幅寸法が、前記中央部に対向する部分の幅寸法と比較して長く形成されている請求項２から４のいずれか１項に記載のライトユニット。
【請求項６】
前記第１反射壁と前記第２反射壁と前記第３反射壁は一体的に形成され、前記各反射壁は境界部位で折曲され、前記第１反射壁は前記導光板の反主面を覆うように延在形成されている請求項１から５に記載のライトユニット。
【発明の詳細な説明】
【技術分野】
【０００１】
本発明は、表示パネルに照射光を照射するライトユニットに係り、特に光源から照射された照射光を導光板の方向に反射させるための反射体を有するライトユニットに関する。
【背景技術】
【０００２】
一般に、液晶表示装置においては液晶表示パネルに照射光を照射するためにライトユニットが備えられている。
【０００３】
図８は、従来のライトユニットを示す模式的断面図であり、図８に示すように、このライトユニット２１は、導光板２２の側面近傍に設けられたＣＦＬ（Cold-Cathode Fluorescent Lamp：冷陰極管）等からなる円柱形状の光源２３を有している。このライトユニット２１は、光源２３から導光板２２に照射された照射光を、導光板２２の一主面から液晶表示パネル２４側に出射するようになっている。
【０００４】
また、このライトユニット２１は、光源２３からの照射光を効率的に利用するため、光源２３から多方向に向かって照射された照射光を導光板２２の方向に反射させる反射体２５を有している。
【０００５】
この反射体２５は、導光板２２および光源２３のうちライトユニット２１における照射光を出射する側の出射面２６とは反対側の反出射面２７側を被覆する第１反射壁２９と、光源２３のうち導光板２２に対向する面とは反対側の面側を被覆する第２反射壁３０と、光源２３のうち出射面２６側を被覆する第３反射壁３１とを有している。この反射体２５において、第１反射壁２９と第２反射壁３０とは連設され、第２反射壁３０と第３反射壁３１とは連設されて一体に形成されており、この反射体２５は、各反射壁２９、３０、３１の境界線３２において折曲されることにより構成されている。
【０００６】
このような反射体２５は、所定形状に形成された反射層を有するＰＥＴ（ポリエチレンテレフタレート）樹脂板またはステンレス板等からなる平板のうち各反射壁２９、３０、３１の境界線３２を折曲することにより容易に作製することができる。また、このような反射体２５は、光源２３の周囲に反射フィルムを湾曲させて囲み、かつ該反射フィルム端部で固着させるタイプの場合と比較して、古くなった光源２３を交換する際に光源２３と反射体２５とを容易に取り外すことができる。
【０００７】
しかし、前述の反射体２５は、平面状の第２反射壁３０によって構成されており、光源２３からの照射光が第２反射壁３０に反射された場合、この反射光は、第３反射壁３１のうち導光板２２における光源２３側の端縁に対向する部分、および第１反射壁２９における導光板２２の光源２３側の端縁に対向する部分に集中的に照射されてしまう。特に、第３反射壁３１に集中的に照射された反射光は、液晶表示装置における表示において輝線となりやすく、この結果液晶表示装置は良好な表示を行うことができないという問題を有していた。
【発明の開示】
【発明が解決しようとする課題】
【０００８】
本発明はこれらの点に鑑みてなされたものであり、表示装置の表示部において輝線が発生することを防止し、良好な表示を行うことができるライトユニットを提供することを目的とする。
【課題を解決するための手段】
【０００９】
前記目的を達成するため、請求項１に記載の発明に係るライトユニットの特徴は、導光板の側面近傍に設けられた光源から照射される照射光を、反射体によって前記側面側に反射させ、前記照射光を前記導光板の一主面から出射するライトユニットにおいて、前記反射体は、全機種面と反対側に形成される第１反射壁と、前記側面に対向するように形成された第２反射壁と、前記主面側に形成される第３反射壁とを有し、前記第３反射壁は前記導光板の光源側端縁部分を被覆するように延在形成され、この延在形成部位に照射光の反射率を低下させるための反射率低下部材が設けられている点にある。
【００１０】
また、本発明のライトユニットにおいて、前記第２反射壁は、円柱形状の前記光源における軸線方向に平行な複数の折曲溝を有し、該折曲溝で折曲されて前記光源の円周面に沿うような略曲線形状とされているとよい。
【００１１】
さらに、前記折曲溝は、前記第２反射壁の前記光源に対向する内面と反対側の外面から断続的に切り込まれ、前記第２反射壁の内面に到達しないように形成されているとよい。
【００１２】
この本発明のライトユニットによれば、光源からの照射光が第３反射壁における前記光源側端縁部分に集中的に照射された場合であっても、その照射光が反射率低下部材に照射されることによってその反射率を低下させることができる。
【００１３】
また、第２反射壁を複数の折曲溝によって折曲することにより光源の円周面に沿うような略曲線形状とすれば、光源からの照射光が第２反射壁において反射して、前記第３反射壁における前記光源側端縁部分に集中的に照射されることを抑制することができ、これにより光源からの照射光を効率的に利用することができる。
【００１４】
さらに、前記折曲溝を前記第２反射壁の外面から切り込まれ内面に到達しないように形成することにより、光源からの照射光が折曲溝の切込みによって反射体の外側に抜けてしまうのを防止することができる。
【００１５】
また、前記反射率低下部材のうち、光源の電極部およびその近傍に対向する部分の幅寸法が、前記光源の直線部分における中央部に対向する部分の幅寸法と比較して長く形成されているとよい。
【００１６】
さらに、前記光源の平面形状が略Ｌ字状において、前記反射率低下部材のうち、前記光源の屈曲部に対向する部分の幅寸法が、前記中央部に対向する部分の幅寸法と比較して長く形成されているとよい。
【００１７】
ここで、ＣＦＬを代表とする円柱形状の光源は、その電極部である両端部から飛び出した電子が発光しはじめる部分であるＣＦＬの両端部近傍における輝度が中央部分の輝度よりも高く、また、光源がＬ字状の場合には屈曲部分には２方向から照射光が照射されるため、その屈曲部分における輝度が中央部分の輝度よりも高い。
【００１８】
これら本発明によれば、反射率低下部材は、光源の電極部（両端部）およびその近傍に対向する部分の幅寸法や光源の屈曲部分に対向する部分の幅寸法が、光源の直線部分における中央部に対向する部分の幅寸法よりも長く形成されているので、光源の両端部分や屈曲部分から照射された照射光は、中央部分からの照射光よりも多く反射率低下部材に吸収される。これによって、前記反射率低下部材は、光源の両端部分や屈曲部分から照射される照射光の反射率をより低下させることができ、この結果、本ライトユニットは、ＣＦＬから照射される照射光について全体として均一の輝度とすることができる。
【発明の効果】
【００１９】
以上述べたように、本発明のライトユニットを用いて表示装置の表示を行う場合には、表示装置の表示部において輝線が発生してしまうことを防止し、これにより良好な表示を行うことができる。
【００２０】
また、本発明のライトユニットにおいてＣＦＬ等の円柱形状の光源を用いている場合であっても、本ライトユニットは、光源から照射される照射光について全体として均一の輝度とすることができるので、本発明のライトユニットを用いた表示装置は、照射光の輝度に偏りのない一層良好な表示を行うことができる。
【発明を実施するための最良の形態】
【００２１】
以下、本発明に係るライトユニットの実施形態を図１から図７を参照して説明する。
【００２２】
図１は、本実施形態に係るライトユニットの反射体を示す模式的平面図、図２は、図１の反射体が設けられたライトユニットを示す模式的平面図である。ここで、本実施形態においては、液晶表示装置に備えられ、液晶表示パネルの裏側から液晶表示パネルに照射光を照射するライトユニットについて説明する。
【００２３】
図１および図２に示すように、前記ライトユニット１は矩形状の導光板２を有し、この導光板２における２側面２ａ、２ｂの近傍には、各側面２ａ、２ｂに対向するように円柱形状であって平面形状が略Ｌ字状のＣＦＬ３が設けられている。
【００２４】
また、前記ライトユニット１は、ＣＦＬ３から多方向に照射された照射光を効率的に導光板２に入射させるための白色反射層を有するＰＥＴ樹脂板またはステンレス板等からなる反射体５を有している。
【００２５】
この反射体５は、ライトユニット１のうち照射光を液晶表示パネル１６の方向に出射する側を出射面７とするとき、導光板２およびＣＦＬ３における出射面７とは反対側の反出射面８を被覆する第１反射壁１０と、ＣＦＬ３における導光板２との非対向面を被覆する第２反射壁１１とを有している。さらに、前記反射体５は、ＣＦＬ３における出射面７および導光板２のＣＦＬ３側端縁における出射面７を被覆する第３反射壁１２と、導光板２におけるＣＦＬ３に対向しない各側面２ｃ、２ｄを被覆する第４反射壁１３とを有している。
【００２６】
すなわち、第１反射壁１０は反出射面８側に配設され、光源部から導光板２の反出射面８を全て覆うように延在して形成されている。また、第２反射壁１１はＣＦＬ３が配設された側面に対向するように配設されている。そして、第３反射壁１２は出射面７側に配設され、光源部から導光板２の光源側端縁部分を覆うように延在して形成されている。
【００２７】
また、前記反射体５は、第１反射壁１０と第２反射壁１１とが連設されるとともに、第２反射壁１１と第３反射壁１２とが連設されており、さらに第１反射壁１０と第４反射壁１３とが連設されて、一体に形成されている。この反射体５は、各反射壁１０、１１、１２、１３の境界線１４において折曲されることにより開口部１５を有する略箱状に構成されて、前記開口部１５から導光板２における出射面７を露出するようになっている。
【００２８】
このように、反射体５によってＣＦＬ３および導光板２の所定の面を被覆することにより、ＣＦＬ３からの照射光を導光板２側に反射させて、照射光を効率的に利用するようになっている。さらに、特に第３反射壁１２によって導光板２におけるＣＦＬ３側の端縁を被覆することにより、ＣＦＬ３からの照射光が導光板２を介さず直接液晶表示パネル１６側に出射してしまう光漏れを確実に防止するようになっている。
【００２９】
前記第２反射壁１１には、ＣＦＬ３の軸線方向に平行な複数（本実施形態においては４本）の折曲溝１８が所定間隔をもって平行に形成されている。前記折曲溝１８は、図３に示すように、第２反射壁１１におけるＣＦＬ３に対向していない外面から断続的に切り込まれ、第２反射壁１１における内面に到達しないように形成されている。そして、前記第２反射壁１１は、折曲溝１８によって折曲されることによりＣＦＬ３の円周面に沿うような略曲線形状とされている。なお、第２反射壁１１に形成される折曲溝１８は、本実施形態の４本に限定されず２本以上であればよいが、第２反射壁１１を光源の円周面に沿うような曲線形状にするという点において、折曲溝１８の数は多い方が好ましい。
【００３０】
前記第３反射壁１２のうち第２反射壁１１と連設されている一端縁に対向する他端縁１２ａ部分、すなわち導光板２におけるＣＦＬ３側端縁に対向する部分およびその近傍には、照射された照射光の反射率を低下させるための反射率低下部材として有色の遮光シート２０が設けられている。この遮光シート２０は、この遮光シート２０に照射された照射光を吸収して前記照射光の反射率を低下させるようになっている。
【００３１】
この遮光シート２０は、図４に示すように、遮光シート２０の長さ方向における両端部分、すなわち略Ｌ字状のＣＦＬ３における電極部とその近傍および折曲部に対向する部分の幅寸法Ｗ１  が直線部分の中央部の幅寸法Ｗ２  よりも長く形成されている。詳しくは、遮光シート２０は、第２反射壁１１側の一辺２０ａが両端部から中央部分に向かって前記他端縁１２ａ側に直線状に傾斜し、前記中央部分において前記他端縁１２ａと平行に形成されている。
【００３２】
また、この遮光シート２０の形状は、図５に示すように、前記遮光シート２０の一辺２０ａの両端部分から第３反射壁１２の他端縁１２ａと平行に延出した後、中央部分に向かって前記他端縁１２ａ側に直線状に傾斜し、前記中央部分において前記他端縁１２ａと平行に形成されているものであってもよい。
【００３３】
さらに、図６に示すように、遮光シート２０の一辺２０ａは、両端部から中央部に向かって第３反射壁１２の他端縁１２ａ側に傾斜して形成されていてもよい。
【００３４】
これら図４、図５、および図６に示す遮光シート２０は、一辺２０ａの傾斜辺が他端辺１２ａ側にやや凸状に湾曲して形成されていてもよい。
【００３５】
また、図７に示すように、遮光シート２０は、その一辺２０ａの両端部分において第３反射壁１２の他端縁１２ａと平行に延出した後、前記他端縁１２ａ側に直交して延出し、前記中央部分において前記他端縁１２ａと平行に形成されるものであってもよく、さらに、遮光シート２０の一辺２０ａは、第３反射壁１２の他端縁１２ａと平行に形成されていてもよい。
【００３６】
なお、前記反射率低下部材としては、本実施形態の遮光シート２０に限定されず、例えば、複数の粒子を有する光拡散膜を用いてもよく、照射された照射光を粒子によって拡散させて照射光の反射率を低下させるものであってもよい。
【００３７】
このライトユニット１は、前記反射体５を、所定形状に形成された反射層を有するＰＥＴ樹脂板またはステンレス板等の平板において各反射壁１０、１１、１２、１３の境界線１４において折曲するとともに第２反射壁１１の折曲溝１８で折曲することにより構成し、この反射体５に、ＣＦＬ３および導光板２をはめ込むことにより作製されるようになっている。
【００３８】
次に、本実施形態に係るライトユニットの作用について説明する。
【００３９】
本実施形態によれば、ＣＦＬ３からの照射光が第３反射壁１２のうち導光板２のＣＦＬ３側の端縁に対向する部分に集中的に照射された場合であっても、その照射光が遮光シート２０に照射されることによってその反射率を低下させることができる。
【００４０】
また、第２反射壁１１は、複数の折曲溝１８によって折曲されてＣＦＬ３の円周面に沿うような略曲線形状にされているので、ＣＦＬ３からの照射光が第２反射壁１１において反射して第３反射壁１２のうち導光板２のＣＦＬ側の端縁に対向する部分に集中的に照射されてしまうことを抑制して導光板２に入射させることができ、ＣＦＬ３からの照射光を効率的に利用することができる。
【００４１】
したがって、本反射体５を備えたライトユニット１を用いて液晶表示パネル１６に照射光を照射することにより液晶表示装置の表示を行う場合には、液晶表示装置の表示部において輝線が発生してしまうことを防止することができ、これにより、前記液晶表示装置において良好な表示を行うことができる。
【００４２】
また、折曲溝１８は、第２反射壁１１の外面から切り込まれ内面に到達しないように形成されているので、ＣＦＬ３からの照射光が折曲溝１８の切込みから反射体５の外側に抜けてしまうのを防止することができ、これにより液晶表示装置においてはＣＦＬ３からの照射光を効率的に利用して明るく良好な表示を行うことができる。
【００４３】
さらに、本実施形態のライトユニット１に用いられている光源としてのＣＦＬ３は、その両端部から飛び出した電子が発光しはじめる部分であるＣＦＬ３の電極部近傍における輝度が中央部分の輝度よりも高い。また、Ｌ字状のＣＦＬ３の屈曲部分は２方向から照射光が照射されるため、その屈曲部分における輝度が中央部分の輝度よりも高い。ここで、本実施形態によれば、遮光シート２０は、ＣＦＬ３の電極部およびその近傍に対向する部分の幅寸法Ｗ１  や屈曲部に対向する部分の幅寸法Ｗ１  が、ＣＦＬ３の中央部に対向する部分の幅寸法Ｗ２  よりも長く形成されているので、ＣＦＬ３の電極部分および屈曲部分から照射された照射光は、中央部分からの照射光よりも多く遮光シート２０に吸収される。これによって、遮光シート２０は、ＣＦＬ３の両端部分および屈曲部分から照射される照射光の反射率を一層低下させることができ、本ライトユニット１は、ＣＦＬ３から照射される照射光について、全体として均一の輝度とすることができる。この結果、前記液晶表示装置は、輝度に偏りのない一層良好な表示を行うことができる。
【００４４】
なお、本発明は前記実施形態に限定されるものではなく、必要に応じて種々変更することが可能である。
【００４５】
例えば、前記反射体５が用いられたライトユニット１においては、光源からの照射光が第１反射壁１０のうち導光板２における光源側の端縁に対向する部分にも集中的に照射されるおそれがある。このため、第１反射壁１０のうち導光板２における前記端縁に対向する部分およびその近傍に、反射率低下部材を設けてもよい。ただし、前記第１反射壁１０のうちの導光板２における前記端縁に対向する部分に照射された照射光の反射率をあまり低下させ過ぎてしまうと、ライトユニット１は十分な照射光を液晶表示パネル１６に照射することができず、液晶表示装置において明るい表示を行うことが困難となってしまうおそれがある。このため、この部分に設ける反射率低下部材は、反射率低下の程度が低いものであることが好ましい。
【図面の簡単な説明】
【００４６】
【図１】本発明に係るライトユニットの一例を示す模式的平面図
【図２】図１の反射体を備えたライトユニットを示す模式的断面図
【図３】図１の反射体における第２反射壁に形成された折曲溝を示す拡大図
【図４】図１の反射体における遮光シートの形状を示す模式的展開図
【図５】図１の反射体における遮光シートの他の形状を示す模式的展開図
【図６】図１の反射体における遮光シートの他の形状を示す模式的展開図
【図７】図１の反射体における遮光シートの他の形状を示す模式的展開図
【図８】従来の反射体を用いたライトユニットを示す模式的断面図
【符号の説明】
【００４７】
１  ライトユニット
２  導光板
３  ＣＦＬ
５  反射体
７  出射面
８  反出射面
１０  第１反射壁
１１  第２反射壁
１２  第３反射壁
１３  第４反射壁
１４  境界線
１６  液晶表示パネル
１８  折曲溝
２０  遮光シート
【図１】
2005158669.tif 000003
【図２】
2005158669.tif 000004
【図３】
2005158669.tif 000005
【図４】
2005158669.tif 000006
【図５】
2005158669.tif 000007
【図６】
2005158669.tif 000008
【図７】
2005158669.tif 000009
【図８】
2005158669.tif 000010